(57)【要約】【課題】後付けが容易な指針回動式計器用の範囲表示ベースリング、範囲表示具及び圧力計を提供する。【解決手段】本発明の範囲表示ベースリング３０は、指針回動式計器の指針１６及び目盛板１８の前面を被う透明板１７の外部であって、指針回動式計器の前面側の端部において延出するケース庇部１２Ｈの円環状の端縁に装着するものである。  範囲表示ベースリング３０は、前面の表示面と、設定範囲表示部３０Ｇと、不使用範囲表示部３０Ｒと、嵌合胴部３０Ｄとを有する。設定範囲表示部３０Ｇは例えば表示面において緑色に配色され、使用範囲を表す。不使用範囲表示部３０Ｒは例えば表示面において赤色に配色され、不使用範囲を表す。嵌合胴部３０Ｄは、ケース庇部１２Ｈの円環状の端縁に対して、回動可能に嵌合する。【選択図】図１
2015141178.tif 000002
【特許請求の範囲】
【請求項１】
指針回動式計器の指針及び目盛板の前面を被う透明板の外部であって、前記指針回動式計器の前面側の端部において延出するケース庇部の円環状の端縁に装着する範囲表示ベースリングであって、
前記範囲表示ベースリングは、前面の表示面と、設定範囲表示部と、不使用範囲表示部と、嵌合胴部とを有し、
前記設定範囲表示部は、前記表示面において第１色で色識別され、前記指針が指し示す使用範囲を表し、
前記不使用範囲表示部は、前記表示面において前記第１色とは異なる第２色で色識別され、前記指針が指し示す不使用範囲を表し、
前記嵌合胴部は、前記ケース庇部の円環状の端縁に対して、回動可能に嵌合する
範囲表示ベースリング。
【請求項２】
前記範囲表示ベースリングの素材は、ポリプロピレン、ポリエチレン、ポリアセタール、ポリアミド、ポリブチレンテレフタレート、ナイロン、アクリロニトリルブタジエンスチレン、又はポリカーボネードの樹脂である
請求項１に記載の範囲表示ベースリング。
【請求項３】
前記ケース庇部は、前記指針回動式計器の透明板の前面に所定の隙間を介して中央に向けて延出するものであり、
前記ケース庇部と前記透明板との間に嵌入する円環状の挿入フランジを有する
請求項１又は２に記載の範囲表示ベースリング。
【請求項４】
前記ケース庇部と前記嵌合胴部との間の嵌合状態、又は、前記ケース庇部及び前記透明板と前記挿入フランジとの間の嵌合状態は、前記範囲表示ベースリングの回動操作時における摩擦力が、０．５Ｎ乃至１０Ｎの範囲内となる嵌合状態を形成する嵌合寸法を有する
請求項１乃至３のいずれかに記載の範囲表示ベースリング。
【請求項５】
内周方向に突出した回動操作部を有し、
前記指針回動式計器の前記ケース庇部と前記透明板との間の隙間には、前記指針が指し示す上限及び下限を指し示す設定針が、前記ケース庇部の円環状の端縁に沿って回動可能に嵌合されており、
前記回動操作部における、前記透明板と対面する下面側には、前記設定針を跨ぐと共に、回動時において前記設定針を供回りさせる設定針収容段差部を有する
請求項３又は４に記載の範囲表示ベースリング。
【請求項６】
指針回動式計器の指針及び目盛板の前面を被う透明板の外部であって、前記指針回動式計器の前面側の端部において延出するケース庇部の円環状の端縁に装着する範囲表示具であって、
範囲表示ベースリングと、
不使用範囲設定リングとを有し、
前記範囲表示ベースリングは、前面の表示面と、設定範囲表示部と、第１不使用範囲表示部と、嵌合胴部と、上部フランジとを有し、
前記不使用範囲設定リングは、第２不使用範囲表示部と、回動用鉤部とを有し、
前記設定範囲表示部は、前記表示面において第１色で色識別され、前記指針が指し示す使用範囲を表し、
前記第１及び第２不使用範囲表示部は、前記表示面側において前記第１色とは異なる第２色で色識別され、前記指針が指し示す不使用範囲を表し、
前記嵌合胴部は、前記ケース庇部の円環状の端縁に対して、回動可能に嵌合し、
前記上部フランジは、前記不使用範囲設定リングの前記回動用鉤部と係合する凸陵であり、
前記回動用鉤部は、前記表示面の裏面から下方に鉤形に延出し、前記表示面の裏面との間で前記上部フランジを抱え込む形状を有する
範囲表示具。
【請求項７】
前記範囲表示ベースリングは、前記表示面に平面視円弧状の回動用案内溝を有し、
前記不使用範囲設定リングは、前記表示面の裏面に案内凸部を有し、
前記回動用案内溝は、前記案内凸部を挿入した際に、前記不使用範囲設定リングを回動可能に案内する溝であり、
前記案内凸部は、前記回動用案内溝に挿入する
請求項６に記載の範囲表示具。
【請求項８】
前記案内凸部は、先端部に回動用案内凸部と、根元部に固定用凸部とを有し、
前記回動用案内凸部は、前記回動用案内溝に対して摺動容易な隙間を形成する幅寸法で形成され、
前記固定用凸部は、前記回動用案内溝に対して摺動困難で挿抜可能な幅寸法で形成される
請求項７に記載の範囲表示具。
【請求項９】
請求項１乃至５のいずれかに記載の範囲表示ベースリング、又は、請求項６乃至８のいずれかに記載の範囲表示具が装着された圧力計。
【発明の詳細な説明】
【技術分野】
【０００１】
本発明は、流体の使用圧力範囲の表示を任意の範囲に設定することが可能な範囲表示ベースリング、範囲表示具及び圧力計に関する。
【背景技術】
【０００２】
従来、空圧機器や油圧機器等の圧力機器を駆動させるに際して、流体の圧力を所定の範囲に設定するために、レギュレータと圧力計が用いられている。
【０００３】
圧力の設定範囲は、一般には圧力計の目盛よりも前面に移動可能な三角形状の設定針を２つ配置して、その２つの設定針の間を圧力の設定範囲とする方法が知られている。また、目盛よりも前面に、色分けした被服板を指針の回動軌跡に沿って回動可能に配置する方法が知られている。
【０００４】
従来の、圧力計の目盛よりも前面に回動可能な設定針を２つ配置した設定圧力範囲表示装置の発明が、特許文献１（特開平０７−４９２４８号公報）に開示されている。特許文献１に記載されている設定圧力範囲表示装置は、圧力計本体の目盛板及び圧力表示用指針の上方に配置したガラス板の前面側に、ガイドリングと、針金状の湾曲したリングと、２つの設定針と、カバーリングとから構成されている。
【０００５】
２つの設定針は、円形に湾曲した針金状のリングを貫通して、円形のガラス板の淵に沿って摺動可能に案内される。カバーリングは、２つの設定針が脱落しないように、圧力計のガラス板面上を摺動可能に保持する。ガイドリングは、設定針の動きを妨げないように、カバーリングと圧力計のガラス盤面上との間に所定の隙間を形成する。そして設定針の摺動性を確保している。
【０００６】
また、従来の、圧力計の目盛よりも前面に色分けした被服板を移動可能に配置した圧力計の発明が、特許文献２（特開２０１２−２６８７２号公報）に開示されている。特許文献２に記載されている設定圧力範囲表示装置は、圧力計において、目盛板及び指針を外部から遮蔽する透明カバーと、使用圧力表示部材とを有している。
【０００７】
使用圧力表示部材は、圧力計の目盛板及び指針の上方、且つ透明カバーの内側において、指針の回転中心の同心円上を摺動可能に配置されている。使用圧力表示部材は、例えば緑色に着色される。
【０００８】
透明カバーの外周近傍には、下層に配置されている使用圧力表示部材の一部を遮蔽するための非透明の遮蔽部が、圧力目盛に沿って形成されている。この遮蔽部により覆われない第１の表示部（使用圧力範囲の最小値）と、第２の表示部（使用圧力範囲の最大値）との間の領域が、透明カバーを介して使用圧力範囲として、外部に表示される。
【０００９】
透明カバーは、圧力計のケース上面において回動可能に配置されている。透明カバーをケースに対して時計方向に回動させてゆくと、透明カバーの内側に突出した爪部が、使用圧力表示部材の爪部に当接して、透明カバーの内側に配置されている使用圧力表示部材を、ケースの案内孔に沿って動かすことができる。従って、透明カバーを操作するのみで、使用圧力範囲の最小値を設定することができる。
【００１０】
使用圧力範囲の最小値を設定し終えたら、次に、透明カバーを反時計方向に回動させると、駆動用の爪部は従動用の爪部から離れて透明カバーのみが反時計方向に回動して、使用圧力範囲の最大値を設定することができる。このように、透明カバーを操作するのみで、使用圧力範囲の最小値と最大値とを、設定することができる。
【先行技術文献】
【特許文献】
【００１１】
【特許文献１】特開平０７−４９２４８号公報
【特許文献２】特開２０１２−２６８７２号公報
【発明の概要】
【発明が解決しようとする課題】
【００１２】
特許文献１に記載されている設定圧力範囲表示装置は、２つの設定針の間の範囲を使用圧力範囲として定めている。このため、引用文献２に記載されているような視認性に優れた「緑色の使用圧力範囲」を表示することができていない。したがって、多数の圧力計の設定範囲を短時間に確認する用途や、現場に不慣れな従業員に説明する場合等において、不十分な機能であった。
【００１３】
また、引用文献２に記載されている設定圧力範囲表示装置は、透明カバーと一体に形成されているために、汎用の圧力計に対して簡単に後付けすることができないという問題がある。また、引用文献２に記載されている設定圧力範囲表示装置は、透明カバーをケースに対して摺動させる構成であるために、摺動用の隙間が必要となる。従って、密封性が必要なグリセリン液を封入した圧力計に用いる場合には、別途シーリングを行わなければならないという問題点がある。更に、高圧用の圧力計においては、内部のブルドン管が損傷した場合であっても、透明カバーが破損したり外れたりする不具合を防止する構成を用いなければならないなど、設定圧力範囲表示装置の価格が高価になってしまう懸念がある。
【００１４】
本発明の目的は、後付けが容易な指針回動式計器用の範囲表示ベースリング、範囲表示具及び圧力計を提供することである。
【課題を解決するための手段】
【００１５】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【００１６】
本発明の範囲表示ベースリング（３０、１３０）は、指針回動式計器の指針（１６）及び目盛板（１８）の前面を被う透明板（１７）の外部であって、前記指針回動式計器の前面側の端部において延出するケース庇部（１２Ｈ）の円環状の端縁に装着するものである。前記範囲表示ベースリング（３０、１３０）は、前面の表示面と、設定範囲表示部（３０Ｇ）と、不使用範囲表示部（３０Ｒ）と、嵌合胴部（３０Ｄ）とを有する。前記設定範囲表示部（３０Ｇ）は、前記表示面において第１色で色識別され、前記指針（１６）が指し示す使用範囲を表す。前記不使用範囲表示部（３０Ｒ）は、前記表示面において前記第１色とは異なる第２色で色識別され、前記指針（１６）が指し示す不使用範囲を表す。前記嵌合胴部（３０Ｄ）は、前記ケース庇部（１２Ｈ）の円環状の端縁に対して、回動可能に嵌合する。
【００１７】
前記範囲表示ベースリング（３０、１３０）の素材は、ポリプロピレン、ポリエチレン、ポリアセタール、ポリアミド、ポリブチレンテレフタレート、ナイロン、アクリロニトリルブタジエンスチレン、又はポリカーボネードの樹脂である。
【００１８】
前記ケース庇部（１２Ｈ）は、前記指針回動式計器の透明板（１７）の前面に所定の隙間を介して中央に向けて延出するものである。前記範囲表示ベースリング（３０、１３０）は、前記ケース庇部（１２Ｈ）と前記透明板（１７）との間に嵌入する円環状の挿入フランジ（３０Ｅ）を有する。
【００１９】
前記ケース庇部（１２Ｈ）と前記嵌合胴部（３０Ｄ）との間の嵌合状態、又は、前記ケース庇部（１２Ｈ）及び前記透明板（１７）と前記挿入フランジ（３０Ｅ）との間の嵌合状態は、前記範囲表示ベースリング（３０、１３０）の回動操作時における摩擦力が、０．５Ｎ乃至１０Ｎの範囲内となる嵌合状態を形成する嵌合寸法を有する。
【００２０】
本発明の範囲表示ベースリング（３０、１３０）は、内周方向に突出した回動操作部（１３０Ｔ）を更に有する。前記指針回動式計器の前記ケース庇部（１２Ｈ）と前記透明板（１７）との間の隙間には、前記指針（１６）が指し示す上限及び下限を指し示す設定針（５０）が、前記ケース庇部（１２Ｈ）の円環状の端縁に沿って回動可能に嵌合されている。前記回動操作部（１３０Ｔ）における、前記透明板（１７）と対面する下面側には、前記設定針（５０）を跨ぐと共に、回動時において前記設定針（５０）を供回りさせる設定針収容段差部（ＥＳＣ）を有する。
【００２１】
本発明に係る範囲表示具（２０）は、指針回動式計器の指針（１６）及び目盛板（１８）の前面を被う透明板（１７）の外部であって、前記指針回動式計器の前面側の端部において延出するケース庇部（１２Ｈ）の円環状の端縁に装着するものである。範囲表示具（２０）は、範囲表示ベースリング（３０、１３０）と、不使用範囲設定リング（４０）とを有する。前記範囲表示ベースリング（３０、１３０）は、前面の表示面と、設定範囲表示部（３０Ｇ）と、第１不使用範囲表示部（３０Ｒ）と、嵌合胴部（３０Ｄ）と、上部フランジ（３０Ａ）とを有する。前記不使用範囲設定リング（４０）は、第２不使用範囲表示部（４０Ｒ）と、回動用鉤部（４０Ｂ）とを有する。前記設定範囲表示部（３０Ｇ）は、前記表示面において第１色で色識別され、前記指針（１６）が指し示す使用範囲を表す。前記第１及び第２不使用範囲表示部（３０Ｒ、４０Ｒ）は、前記表示面側において前記第１色とは異なる第２色で色識別され、前記指針（１６）が指し示す不使用範囲を表す。前記嵌合胴部（３０Ｄ）は、前記ケース庇部（１２Ｈ）の円環状の端縁に対して、回動可能に嵌合する。前記上部フランジ（３０Ａ）は、前記不使用範囲設定リング（４０）の前記回動用鉤部（４０Ｂ）と係合する凸陵である。前記回動用鉤部（４０Ｂ）は、前記表示面の裏面から下方に鉤形に延出し、前記表示面の裏面との間で前記上部フランジ（３０Ａ）を抱え込む形状を有する。
【００２２】
前記範囲表示ベースリング（３０、１３０）は、前記表示面に平面視円弧状の回動用案内溝（３０Ｍ）を有する。前記不使用範囲設定リング（４０）は、前記表示面の裏面に案内凸部（４０Ｔ）を有する。前記回動用案内溝（３０Ｍ）は、前記案内凸部（４０Ｔ）を挿入した際に、前記不使用範囲設定リング（４０）を回動可能に案内する溝である。前記案内凸部（４０Ｔ）は、前記回動用案内溝（３０Ｍ）に挿入する部位である。
【００２３】
前記案内凸部（４０Ｔ）は、先端部に回動用案内凸部（４０Ｇ）と、根元部に固定用凸部（４０Ｓ）とを有する。前記回動用案内凸部（４０Ｇ）は、前記回動用案内溝（３０Ｍ）に対して摺動容易な隙間を形成する幅寸法で形成される。前記固定用凸部（４０Ｓ）は、前記回動用案内溝（３０Ｍ）に対して摺動困難で挿抜可能な幅寸法で形成される。
【発明の効果】
【００２４】
本発明によれば、後付けが容易な指針回動式計器用の範囲表示ベースリング、範囲表示具及び圧力計を提供することができる。
【図面の簡単な説明】
【００２５】
【図１】図１は、指針回動式計器用の範囲表示具を装着した圧力計の外観斜視図である。
【図２】図２は、範囲表示具を構成する範囲表示ベースリングと不使用範囲設定リングとを、外ケースから取り外した状態を示す分解斜視図である。
【図３】図３は、範囲表示ベースリングの平面図である。
【図４】図４は、図３に示した範囲表示ベースリングのＡ−Ａ矢視側面断面図である。
【図５】図５は、図４に示した範囲表示ベースリングの範囲Ｚにおける拡大断面図である。
【図６】図６は、圧力計の外ケースに対して範囲表示ベースリングを斜めに配置した状態を説明する側面断面図である。
【図７】図７は、圧力計の外ケースに範囲表示ベースリングを装着した状態を説明する側面断面図である。
【図８】図８は、不使用範囲設定リングを下方から観察した下面図である。
【図９】図９は、図８に示した不使用範囲設定リングの側面断面図である。
【図１０】図１０は、図８におけるＢ−Ｂ矢視断面図であり、案内凸部の断面形状を説明する図である。
【図１１】図１１は、図１０に示した案内凸部の他の実施形態を説明する断面図である。
【図１２】図１２は、不使用範囲設定リングを持ち上げて、範囲表示ベースリングに対して回動可能とした状態を示す断面図である。
【図１３】図１３は、不使用範囲設定リングを押し下げて、範囲表示ベースリングに固定した状態を示す断面図である。
【図１４】図１４は、設定針を跨いで供回りさせることが可能な範囲表示ベースリングと、不使用範囲設定リングとを、外ケースから取り外した状態を示す圧力計の分解斜視図である。
【図１５】図１５は、範囲表示ベースリングを上方から観察した平面図である。
【図１６】図１６は、図１５に示した範囲表示ベースリングのＣ−Ｃ矢視側面断面図である。
【図１７】図１７は、図１６に示した範囲表示ベースリングの範囲Ｘにおける拡大断面図である。
【図１８】図１８は、範囲表示ベースリングを下方から観察した下面図である。
【発明を実施するための形態】
【００２６】
添付図面を参照して、本発明による指針回動式計器用の範囲表示ベースリング、範囲表示具及び圧力計を実施するための形態を、以下に説明する。
【００２７】
（圧力計全体の概略説明）
図１に示す圧力計１０は、外ケース１２と、ケース庇部１２Ｈと、株１４と、指針１６と、透明板１７と、目盛板１８と、目盛１９と、範囲表示具２０とを有する。範囲表示具２０は、範囲表示ベースリング３０と、不使用範囲設定リング４０とを有する。圧力計１０は、液体や気体の測定流体の圧力を測定する指針回動式計器の一形態である。
【００２８】
外ケース１２は、指針１６を所定の圧力を指し示す位置に回動させるブルドン管や、目盛板１８、透明板１７等を収容する筐体である。
【００２９】
ケース庇部１２Ｈは、指針回動式計器の外ケース上端部において延出させた部位である。図１に示す実施形態では、ケース庇部１２Ｈは、透明板１７の前面手前側に所定の隙間を介して中央に向けて延出している。ケース庇部１２Ｈと透明板１７との間の隙間には、後段にて説明する挿入フランジ３０Ｅや、設定針５０を回転摺動可能に挿入することができる。
【００３０】
株１４は、中心部に測定流体用の流路が開設されており、測定対象の配管に接続する管用ねじ等が形成されている。
【００３１】
指針１６は、指針回動中心ＲＣを中心として、測定流体の圧力に応じて回動する。そして、目盛板１８に付された目盛１９を参酌することによって、利用者は測定流体の圧力を読み取ることができる。
【００３２】
範囲表示具２０は、目盛１９、指針１６及び透明板１７の外部前面に装着される。範囲表示具２０の表示面は、設定範囲表示部３０Ｇ、第１不使用範囲表示部３０Ｒ、第２不使用範囲表示部４０Ｒ等で色識別した表示部を有する。設定範囲表示部３０Ｇは、例えば指針１６が指し示す圧力の使用範囲ＵＲを表す部位であり、第１色で塗られている。設定範囲表示部３０Ｇが、例えばレギュレータ等で設定して使用する圧力範囲を表す場合には、第１色として、許可を表す「緑色」等を用いることができる。
【００３３】
第１不使用範囲表示部３０Ｒ及び第２不使用範囲表示部４０Ｒは、例えば指針１６が指し示す圧力において下限（第１範囲端Ｌ）以下や、上限（第２範囲端Ｈ）以上の不使用範囲を表す部位であり、第２色で塗られている。第１不使用範囲表示部３０Ｒ及び第２不使用範囲表示部４０Ｒが、禁止範囲を表す場合には、第２色として禁止を表す「赤色」等を用いることができる。
【００３４】
範囲表示具２０は、指針回動中心ＲＣを中心とする指針１６の回動軌跡に沿って、外ケース１２に対して回動可能に配置されている。範囲表示具２０は、所定の保持力（摩擦力）で外ケース１２に対して保持されているが、回動操作時においては、所定の摩擦力以上の力で回動操作を行うことにより、第１範囲端Ｌ及び第２範囲端Ｈを、所定の位置（角度）に設定することが可能となっている。
【００３５】
なお、図１に示す実施形態では、範囲表示具２０は範囲表示ベースリング３０と、不使用範囲設定リング４０との２つの部品から構成されている。範囲表示ベースリング３０の上部には、広めに設定されている設定範囲表示部３０Ｇと、第１不使用範囲表示部３０Ｒとが色識別されている。範囲表示ベースリング３０は、指針回動中心ＲＣを中心として回動する指針１６の回動軌跡に沿って、外ケース１２に対して回動可能に配置されており、第１範囲端Ｌを設定する。
【００３６】
不使用範囲設定リング４０は、範囲表示ベースリング３０に沿って回動可能に配置されている。不使用範囲設定リング４０も、所定の保持力（摩擦力）で範囲表示ベースリング３０に対して保持されているが、回動操作を行うことも可能である。不使用範囲設定リング４０は、広めに設定されている設定範囲表示部３０Ｇの一部を被うことで、第２範囲端Ｈを所定の位置（角度）に設定することが可能となっている。
【００３７】
なお、図１に示す実施形態では、範囲表示ベースリング３０と不使用範囲設定リング４０とから構成される範囲表示具２０を用いているが、使用範囲ＵＲの範囲が予め定まっている場合には、設定範囲表示部３０Ｇ自体を予め使用範囲ＵＲに設定しておくことができる。この場合には、不使用範囲設定リング４０は不要となる。
【００３８】
範囲表示ベースリング３０及び不使用範囲設定リング４０の素材として、ポリプロピレンやポリエチレン等のポリオレフィン、ポリアセタール、ポリアミド、ポリブチレンテレフタレート、ナイロン、アクリロニトリルブタジエンスチレン、又はポリカーボネードの樹脂を素材とすることができる。
【００３９】
（第１の実施形態）
図２乃至図５を参照して、指針回動式計器用の範囲表示具２０の第１の実施形態について説明する。図２は、範囲表示具２０を構成する範囲表示ベースリング３０と、不使用範囲設定リング４０とを、それぞれ外ケース１２から取り外した状態を示す圧力計１０の分解斜視図である。図３は、範囲表示ベースリング３０を上方から観察した平面図である。図４は、図３に示した範囲表示ベースリング３０のＡ−Ａ矢視側面断面図である。図５は、図４に示した範囲表示ベースリング３０の範囲Ｚにおける拡大断面図である。なお、図１に示した実施形態における構成部分と同一の機能を有する部位については、同一の符号を付してその説明を省略する。
【００４０】
図２乃至図５を参照して、範囲表示ベースリング３０の構成について説明する。図３に示すように、範囲表示ベースリング３０の表示面は、例えば緑色に配色した設定範囲表示部３０Ｇと、例えば赤色に配色した第１不使用範囲表示部３０Ｒと、回動用案内溝３０Ｍと、回動操作部３０Ｔとを有している。図３に示す実施形態では、設定範囲表示部３０Ｇは、範囲表示ベースリング３０の表示面において１７０°の扇形の範囲に配色されている。残りの１９０°の範囲は、第１不使用範囲表示部３０Ｒに配色されている。設定範囲表示部３０Ｇ及び第１不使用範囲表示部３０Ｒの配色範囲は、用途に応じて適宜設定することができる。
【００４１】
図３乃至図５に示すように、回動用案内溝３０Ｍは、範囲表示ベースリング３０の表示面において平面視円弧状に開設された、溝幅ＭＳの溝である。回動用案内溝３０Ｍは、不使用範囲設定リング４０の案内凸部４０Ｔ（図２参照）を挿入する溝であり、不使用範囲設定リング４０を回動可能に案内するとともに、固定も行うことが可能な溝である。
【００４２】
図２及び図３に示される回動操作部３０Ｔは、第１範囲端Ｌを所定の位置（角度）に設定する際であって、範囲表示ベースリング３０に対して所定の回動操作力を加えるときに、棒状の工具を挿入して回動操作を容易にするための穴である。
【００４３】
次に、図２、図４及び図５を参照して、範囲表示ベースリング３０の側面部の構成について説明する。範囲表示ベースリング３０の側面には、上部から順に上部フランジ３０Ａと、鼓胴部３０Ｂと、センタリングガイド３０Ｃと、嵌合胴部３０Ｄと、挿入フランジ３０Ｅと、挿入用面取部３０Ｆとを有している。また、必要に応じて、範囲表示ベースリング３０の下面部に、摩擦部３０Ｈを突出させておくこともできる。
【００４４】
上部フランジ３０Ａは、不使用範囲設定リング４０の回動用鉤部４０Ｂ（図２参照）と係合することによって、不使用範囲設定リング４０が範囲表示ベースリング３０から脱落することを防止する凸陵である。また、不使用範囲設定リング４０が閉じた円環で構成されている場合には、回動用鉤部４０Ｂを用いて不使用範囲設定リング４０を範囲表示ベースリング３０に対して回動可能となるように案内することもできる。図２に示す実施形態では、不使用範囲設定リング４０は円環の一部を１７０°程切除した形状を有しているので、不使用範囲設定リング４０を範囲表示ベースリング３０に対して回動可能に案内するためには、不使用範囲設定リング４０の案内凸部４０Ｔを、範囲表示ベースリング３０の回動用案内溝３０Ｍに挿入して、脱落を防止することが好ましい。
【００４５】
鼓胴部３０Ｂは、不使用範囲設定リング４０から下方に延出した回動用鉤部４０Ｂの突出部を避けるために、小径となるように掘削した逃部である。
【００４６】
センタリングガイド３０Ｃは、ケース庇部１２Ｈの円環状の端縁を挟持して、範囲表示具２０を回動可能に嵌合させることが可能な部位である。
【００４７】
嵌合胴部３０Ｄは、センタリングガイド３０Ｃと挿入フランジ３０Ｅとの間に形成される凹溝であり、ケース庇部１２Ｈの円環状の端縁を挿入して、範囲表示具２０を回動可能に嵌合させることが可能な部位である。嵌合胴部３０Ｄの外径寸法（嵌合寸法）は、回動操作部３０Ｔにおける回動操作力に換算して０．５Ｎ乃至１０Ｎの間の操作力になるように、摩擦係数や素材の弾性に鑑みて設定することが好ましい。より好ましくは、１Ｎ乃至５Ｎの間の操作力になるように設定することが好ましい。
【００４８】
嵌合胴部３０Ｄの外形寸法は、例えば、ケース庇部１２Ｈの円環状の端縁の内径に対して、０．０５ｍｍ乃至０．３ｍｍ大径にすることが好ましい。より好ましくは、０．１ｍｍ乃至０．２ｍｍ大径にすることが好ましい。
【００４９】
挿入フランジ３０Ｅは、圧力計１０のケース庇部１２Ｈと透明板１７との間に形成した所定の隙間に嵌入させることで、範囲表示ベースリング３０が外ケース１２から脱落することを防止するための部位である。挿入フランジ３０Ｅの外形寸法は、例えば、ケース庇部１２Ｈの円環状の端縁の内径に対して、０．１ｍｍ乃至０．５ｍｍ大径にすることが好ましい。より好ましくは、０．３ｍｍ乃至０．４ｍｍ大径にすることが好ましい。
【００５０】
挿入用面取部３０Ｆは、挿入フランジ３０Ｅにおける下縁部の稜線を切除した面取り部分である。挿入用面取部３０Ｆを設けておくことによって、範囲表示ベースリング３０をケース庇部１２Ｈに対して容易に装着することができる。
【００５１】
摩擦部３０Ｈは、範囲表示ベースリング３０を外ケース１２に装着した際に、透明板１７と接触することによって保持力（摩擦力）を増大させて、範囲表示ベースリング３０の回動動作により強い渋さを与える部位である。範囲表示ベースリング３０と、透明板１７及び外ケース１２との間における保持力（摩擦力）は、回動操作部３０Ｔにおける回動操作力に換算して０．５Ｎ乃至１０Ｎの間の操作力になるように、摩擦係数や素材の弾性に鑑みて摩擦部３０Ｈの直径や突出量の嵌合寸法及び嵌合状態に設定することが好ましい。より好ましくは、１Ｎ乃至５Ｎの間の操作力になるように設定することが好ましい。なお、摩擦部３０Ｈは、必ず設ける必要は無く、必要な操作力に応じて数量を決定することができる。
【００５２】
範囲表示ベースリング３０と、透明板１７及び外ケース１２との間に所定の保持力を与えることによって、少々触れた程度では回動せずに所定の設定範囲（第１範囲端Ｌ、第２範囲端Ｈ）を保持しつつ、設定範囲の変更を行う場合には範囲表示ベースリング３０を回動操作することが可能となる。
【００５３】
（範囲表示ベースリング３０を装着する際の手順と状況）
次に、図６及び図７を参照して、圧力計１０の外ケース１２に対して範囲表示ベースリング３０を装着する際の手順と状況とについて説明する。図６は、圧力計１０の外ケース１２に対して範囲表示ベースリング３０を斜めに配置して、範囲表示ベースリング３０の挿入用面取部３０Ｆをケース庇部１２Ｈの円環状の端縁に当接させた状態を説明する側面断面図である。図７は、図６に示す状態から範囲表示ベースリング３０を圧力計１０の透明板１７に向けて押圧して、圧力計１０の外ケース１２に範囲表示ベースリング３０を装着した状態を説明する側面断面図である。なお、図１乃至図５に示した実施形態における構成部分と同一の機能を有する部位については、同一の符号を付してその説明を省略する。
【００５４】
図６を参照して、圧力計１０の外ケース１２に対して範囲表示ベースリング３０を装着する際には、先ず、圧力計１０の外ケース１２に対して範囲表示ベースリング３０を斜めに挿入する。このとき、範囲表示ベースリング３０の挿入用面取部３０Ｆを、ケース庇部１２Ｈの円環状の端縁上部に当接させて、範囲表示ベースリング３０の装着を容易にすることができる。この状態で、範囲表示ベースリング３０を圧力計１０の透明板１７に向けて力Ｆを加えて押圧する。すると、圧力計１０のケース庇部１２Ｈの端縁を、範囲表示ベースリング３０の挿入フランジ３０Ｅが乗り越えて、挿入フランジ３０Ｅがケース庇部１２Ｈと透明板１７との間に嵌入して、保持される。この後であっても、所定の回動操作力を加えることによって、外ケース１２に対して範囲表示ベースリング３０を回動操作することが可能である。
【００５５】
次に、図８乃至図１１を参照して、不使用範囲設定リング４０の構成について説明する。図８は、不使用範囲設定リング４０を下方から観察した下面図である。図９は、図８に示した不使用範囲設定リング４０の側面断面図である。図１０は、図８におけるＢ−Ｂ矢視断面図であり、案内凸部４０Ｔの断面形状を説明する図である。図１１は、図１０に示した案内凸部４０Ｔの他の実施形態を説明する断面図である。
【００５６】
不使用範囲設定リング４０の表示面の裏面には、回動用鉤部４０Ｂと、案内凸部４０Ｔとが形成されている。また、不使用範囲設定リング４０の外周縁部には、大径に形成した指掛部４０Ａ（図１０参照）を延出させてある。
【００５７】
指掛部４０Ａは、不使用範囲設定リング４０を回動可能な状態に設定するために不使用範囲設定リング４０を範囲表示ベースリング３０から持ち上げる際に、指を掛ける凸条である。
【００５８】
回動用鉤部４０Ｂは、第２不使用範囲表示部４０Ｒの表示面の裏面から下方に鉤形に延出した部位である。回動用鉤部４０Ｂは、第２不使用範囲表示部４０Ｒの裏面との間で前記上部フランジを抱え込む形状に形成することによって、不使用範囲設定リング４０が範囲表示ベースリング３０から脱落することを防止している。
【００５９】
案内凸部４０Ｔは、範囲表示ベースリング３０の回動用案内溝３０Ｍに挿入する凸部である。また、図１０及び図１１に示すように、案内凸部４０Ｔの先端部に幅が狭い回動用案内凸部４０Ｇを形成し、案内凸部４０Ｔの根元部に固定用凸部４０Ｓを形成することができる。
【００６０】
回動用案内凸部４０Ｇは、範囲表示ベースリング３０の回動用案内溝３０Ｍに対して摺動容易な隙間を形成する幅寸法で形成される。例えば、回動用案内溝３０Ｍの溝幅ＭＳに対して、０．０５ｍｍ乃至０．３ｍｍ薄くすることが好ましい。より好ましくは、溝幅ＭＳに対して、０．０７ｍｍ乃至０．１３ｍｍ薄くすることが好ましい。
【００６１】
回動用案内凸部４０Ｇの高さＨＧ（図１１参照）は、０．５ｍｍ乃至１．５ｍｍに設定することができる。これに対し、固定用凸部４０Ｓの高さＨＳ（図１１参照）は、回動用案内凸部４０Ｇの高さＨＧの０．３乃至０．７倍に設定することが好ましい。より好ましくは、回動用案内凸部４０Ｇの高さＨＧの０．５倍程度に設定することが好ましい。
【００６２】
固定用凸部４０Ｓは、範囲表示ベースリング３０の回動用案内溝３０Ｍに対して摺動困難で挿抜可能な嵌合状態となる幅寸法（締まりばめの嵌合寸法）で形成される。例えば、回動用案内溝３０Ｍの溝幅ＭＳに対して、０．０３ｍｍ乃至０．４ｍｍ厚くすることが好ましい。より好ましくは、溝幅ＭＳに対して、０．１７ｍｍ乃至０．２８ｍｍ厚くすることが好ましい。
【００６３】
また、図１１に示すように、案内凸部４０Ｔの先端部や、回動用案内凸部４０Ｇと固定用凸部４０Ｓとの段差部をＲ形状に成形することができる。これにより、案内凸部４０Ｔを範囲表示ベースリング３０の回動用案内溝３０Ｍに対して挿入を容易にしたり、不使用範囲設定リング４０を範囲表示ベースリング３０に固定する際の押圧操作を容易にすることができる。
【００６４】
（不使用範囲設定リング４０の設定方法及び固定方法）
次に、図１２及び図１３を用いて、不使用範囲設定リング４０における第２範囲端Ｈの設定方法及び固定方法について説明する。図１２は、不使用範囲設定リング４０を持ち上げて、範囲表示ベースリング３０に対して回動可能にした状態を示す断面図である。図１３は、不使用範囲設定リング４０を押し下げて、範囲表示ベースリング３０に固定した状態を示す断面図である。
【００６５】
利用者が不使用範囲設定リング４０を回動可能な状態に設定することを希望する場合には、先ず不使用範囲設定リング４０の外周部の指掛部４０Ａに指を掛けて、不使用範囲設定リング４０を持ち上げる。すると、図１２に示すように、不使用範囲設定リング４０の固定用凸部４０Ｓが範囲表示ベースリング３０の回動用案内溝３０Ｍから抜けて、不使用範囲設定リング４０が回動可能な状態となる。
【００６６】
なお、不使用範囲設定リング４０を持ち上げた状態においては、不使用範囲設定リング４０の回動用鉤部４０Ｂが、範囲表示ベースリング３０の上部フランジ３０Ａの下面と係合するので、不使用範囲設定リング４０が範囲表示ベースリング３０から外れない。従って、操作性が向上する。また、不使用範囲設定リング４０の回動用案内凸部４０Ｇは、範囲表示ベースリング３０の回動用案内溝３０Ｍに留まっているので、不使用範囲設定リング４０の平面形状が環形状の一部を切除した形状であっても、不使用範囲設定リング４０が範囲表示ベースリング３０から外れない。従って、操作性が向上する。
【００６７】
利用者は、不使用範囲設定リング４０を持ち上げた状態のまま範囲表示ベースリング３０に対して回動させて、不使用範囲設定リング４０の第２範囲端Ｈを所定の位置に設定する。不使用範囲設定リング４０の第２範囲端Ｈの位置を設定したら、不使用範囲設定リング４０の位置を固定するために、不使用範囲設定リング４０を押し下げる。すると、図１３に示すように、不使用範囲設定リング４０の固定用凸部４０Ｓが範囲表示ベースリング３０の回動用案内溝３０Ｍに嵌入して、不使用範囲設定リング４０が範囲表示ベースリング３０に対して固定される。
【００６８】
（第２の実施形態）
図１４乃至図１８を参照して、指針回動式計器用の範囲表示具２０の第２の実施形態について説明する。図１４は、指針１６の回動軌跡に沿って摺動可能な設定針５０を跨ぐと共に供回りさせることが可能な範囲表示ベースリング１３０と、不使用範囲設定リング４０とを、それぞれ外ケース１２から取り外した状態を示す圧力計１０の分解斜視図である。図１５は、範囲表示ベースリング１３０を上方から観察した平面図である。図１６は、図１５に示した範囲表示ベースリング１３０のＣ−Ｃ矢視側面断面図である。図１７は、図１６に示した範囲表示ベースリング１３０の範囲Ｘにおける拡大断面図である。図１８は範囲表示ベースリング１３０を下方から観察した下面図である。なお、図１乃至図５に示した実施形態における構成部分と同一の機能を有する部位については、同一の符号を付してその説明を省略する。
【００６９】
図１４を参照して、圧力計１０のケース庇部１２Ｈと透明板１７との間の隙間には、設定針５０が指針１６の回動軌跡に沿って回動可能に嵌合される。図１４に示す２つの設定針５０は、それぞれ平面視三角形状（又は台形形状）の指示部５０Ｍと、摩擦ガイド５０Ｆとから構成されている。
【００７０】
指示部５０Ｍは、指針１６が指し示す圧力が下限以下であることや、上限以上であることの閾値を示す部位である。摩擦ガイド５０Ｆは、圧力計１０のケース庇部１２Ｈと透明板１７との間の隙間に挿入する部位であり、設定針５０が脱落しないように所定の保持力をもって指針１６の回動軌跡に沿って回動可能に保持する部位である。
【００７１】
２つの設定針５０は、互いに離間した位置に設定して、一つの設定針５０を使用範囲ＵＲの下限の位置に設定しておき、他方の設定針５０を使用範囲ＵＲの上限の位置に設定する。そして、２つの設定針５０の間を圧力の設定範囲とするものであり、従来用いられてきた設定針５０である。なお、一般に設定針５０は、一度装着すると取り外しができない構造を有している。
【００７２】
図１４に示す実施形態では、この従来の設定針５０を残したまま（装着した状態のまま）、上から範囲表示ベースリング１３０を被せることができる。そして、範囲表示ベースリング１３０を外ケース１２に対して回動させると、設定針５０も供回りする構造を用いている。これにより、範囲表示ベースリング１３０の保持力を向上させることができると共に、設定針５０を取り外すことなく、設定範囲が見易い範囲表示具２０を容易に後付けすることができる。なお、範囲表示ベースリング１３０の表示面側には、必要に応じて不使用範囲設定リング４０を装着することができる。
【００７３】
次に、図１５乃至図１８を参照して、範囲表示ベースリング１３０の特徴部分の構成について説明する。図３に示した範囲表示ベースリング３０では、表示面に丸穴形状の回動操作部３０Ｔを有していたが、図１５に示す範囲表示ベースリング１３０の回動操作部１３０Ｔは、内周方向及び表示面側に突出した形状を有している。また、図１６及び図１８に示すように、回動操作部１３０Ｔの透明板１７と対面する下面側には、設定針５０の指示部５０Ｍを跨ぐと共に、範囲表示ベースリング１３０の回動時において指示部５０Ｍを供回りさせる設定針収容段差部ＥＳＣを有する。
【００７４】
図１４乃至図１８に示す実施形態では、回動操作部１３０Ｔは設定針５０の指示部５０Ｍを完全に被うので、範囲表示ベースリング１３０を外ケース１２に装着すると、設定針５０は圧力計１０の前面から見えなくなる。
【００７５】
また、図５等に示した実施形態では、範囲表示ベースリング３０の下面に摩擦部３０Ｈを突出させた実施形態を示したが、図１７に示す実施形態では、撓みやすい形状（例えば鉤形）に成形した摩擦部１３０Ｈを範囲表示ベースリング１３０の下面に突出させている。範囲表示ベースリング１３０を圧力計１０に装着した際における摩擦部１３０Ｈの撓み量ＢＤは、例えば０．１ｍｍ乃至１ｍｍの範囲内となるように設定することが好ましい。より好ましくは、０．２乃至０．６ｍｍの範囲内となるように設定することが好ましい。
【００７６】
また、摩擦部１３０Ｈにおいて撓みを生ずる部位の素材の厚さは、０．２ｍｍ乃至０．８ｍｍの範囲内に設定し、撓みを生ずる部位の幅は、１．５ｍｍ乃至５ｍｍの範囲内に設定することが好ましい。なお、摩擦部１３０Ｈの数量は、要求される保持力に応じて、適宜設定することができる。
【００７７】
範囲表示ベースリング１３０の回動操作部１３０Ｔにおける回動操作力も、０．５Ｎ乃至１０Ｎの間の操作力になるように、摩擦部１３０Ｈの寸法や数量を設定することが好ましい。より好ましくは、１Ｎ乃至５Ｎの間の操作力になるように設定することが好ましい。
【００７８】
以上、実施の形態を参照して本発明による範囲表示ベースリング、範囲表示具及び圧力計を説明したが、本発明による範囲表示ベースリング、範囲表示具及び圧力計は上記実施形態に限定されない。上記実施形態に様々の変更を行うことが可能である。上記実施形態に記載された事項と上記他の実施形態に記載された事項とを組み合わせることが可能である。
【００７９】
また、上記の実施例では、指針回動式計器の一形態として圧力計を用いた実施形態について説明したが、本発明は圧力計の用途に限定するものではなく、温度計や湿度計、その他の指針回動式計器に適用することができる。
【００８０】
また、上記の実施例では、圧力計１０のケース庇部１２Ｈの開孔よりも内側に範囲表示ベースリング３０、１３０を装着する実施形態について説明したが、圧力計１０の外ケース１２の外周側に範囲表示ベースリングを装着する実施形態にも応用することができる。
【００８１】
本発明に係る範囲表示ベースリング３０、１３０及び範囲表示具２０は、既存の圧力計に対して後付けが容易である。特に、内圧の増加に対する処置が施されている高圧用の圧力計や、グリセリン液を封入した圧力計に対しても容易に適用することができる。
【符号の説明】
【００８２】
１０...圧力計
１２...外ケース
１２Ｈ...ケース庇部
１４...株
１６...指針
１７...透明板
１８...目盛板
１９...目盛
２０...範囲表示具
３０、１３０...範囲表示ベースリング
３０Ａ...上部フランジ
３０Ｂ...鼓胴部
３０Ｃ...センタリングガイド
３０Ｄ...嵌合胴部
３０Ｅ...挿入フランジ
３０Ｆ...挿入用面取部
３０Ｇ...設定範囲表示部
３０Ｈ、１３０Ｈ...摩擦部
３０Ｍ...回動用案内溝
３０Ｒ...第１不使用範囲表示部
３０Ｔ、１３０Ｔ...回動操作部
４０...不使用範囲設定リング
４０Ａ...指掛部
４０Ｂ...回動用鉤部
４０Ｇ...回動用案内凸部
４０Ｒ...第２不使用範囲表示部
４０Ｓ...固定用凸部
４０Ｔ...案内凸部
５０...設定針
５０Ｍ...指示部
５０Ｆ...摩擦ガイド
Ｌ...第１範囲端
Ｈ...第２範囲端
ＢＤ...撓み量
ＭＳ...溝幅
ＲＣ...指針回動中心
ＵＲ...設定範囲
ＥＳＣ...設定針収容段差部
【図１】
2015141178.tif 000003
【図２】
2015141178.tif 000004
【図３】
2015141178.tif 000005
【図４】
2015141178.tif 000006
【図５】
2015141178.tif 000007
【図６】
2015141178.tif 000008
【図７】
2015141178.tif 000009
【図８】
2015141178.tif 000010
【図９】
2015141178.tif 000011
【図１０】
2015141178.tif 000012
【図１１】
2015141178.tif 000013
【図１２】
2015141178.tif 000014
【図１３】
2015141178.tif 000015
【図１４】
2015141178.tif 000016
【図１５】
2015141178.tif 000017
【図１６】
2015141178.tif 000018
【図１７】
2015141178.tif 000019
【図１８】
2015141178.tif 000020